(57)【特許請求の範囲】
【請求項１】
細長い部材を配索し保護するための織られた繊維スリーブであって、
前記スリーブの中心長手軸に平行に延在する対向する縁部を有する細長い壁部を備え、前記壁部は、前記中心長手軸に平行に延在する縦糸と前記縦糸に対して横方向に延在する横糸とで織られ、前記縦糸は縦糸の別個の束として織られ、各前記別個の束は、互いに並んで当接する関係で配置された複数の縦糸を含み、各別個の束の前記縦糸は、同じ前記横糸に互いに上下に延在する、繊維スリーブ。
【請求項２】
各前記別個の束は、単一の横糸の上および単一の横糸の下に繰り返し延びる、請求項１に記載の繊維スリーブ。
【請求項３】
各前記束は、複数の前記横糸の上および複数の前記横糸の下に繰り返し延びる、請求項１に記載の繊維スリーブ。
【請求項４】
各前記束は前記横糸の対の上および前記横糸の対の下に繰り返し延びる、請求項３に記載の繊維スリーブ。
【請求項５】
前記対向する縁部は、前記横糸によって互いに重畳する関係に付勢される、請求項１に記載の繊維スリーブ。
【請求項６】
少なくともいくつかの前記縦糸は、マルチフィラメントヤーンとして提供される、請求項１に記載の繊維スリーブ。
【請求項７】
前記縦糸の各々は、マルチフィラメントヤーンとして提供される、請求項６に記載の繊維スリーブ。
【請求項８】
前記横糸の各々は、モノフィラメントヤーンとして提供される、請求項７に記載の繊維スリーブ。
【請求項９】
少なくともいくつかの前記縦糸は、モノフィラメントヤーンとして提供される、請求項６に記載の繊維スリーブ。
【請求項１０】
各前記縦糸は、モノフィラメントヤーンとして提供される、請求項１に記載の繊維スリーブ。
【請求項１１】
繊維スリーブを構築する方法であって、
中心長手軸スリーブに平行に延在する対向する縁部を有する細長い壁部を織ることを備え、前記壁部は、前記中心長手軸に平行に延在する縦糸と前記縦糸を横切って延在する横糸とを有し、前記方法はさらに、
前記縦糸を別個の束のヤーンで織ることとを備え、前記束の各々は互いに当接する関係に並んで配置された縦糸を有し、各別個の束内の前記縦糸は前記同じ横糸に互いに上下に延在する、方法。
【請求項１２】
前記束を単一の横糸の上下に織ることをさらに含む、請求項１１に記載の方法。
【請求項１３】
外側に向く浮き編みを形成するために、前記束を複数の横糸の上に織ることをさらに含む、請求項１１に記載の方法。
【請求項１４】
前記対向する縁部を互いに重畳する関係に付勢するために少なくともいくつかの前記横糸をヒートセットすることをさらに含む、請求項１１に記載の方法。
【請求項１５】
少なくともいくつかの前記縦糸をマルチフィラメントヤーンとして提供することをさらに含む、請求項１１に記載の方法。
【請求項１６】
前記横糸をマルチフィラメントヤーンとして提供することをさらに含む、請求項１５に記載の方法。
【請求項１７】
前記横糸をモノフィラメントヤーンとして提供することをさらに含む、請求項１５に記載の方法。
【請求項１８】
少なくともいくつかの前記縦糸をモノフィラメントヤーンとして提供することをさらに含む、請求項１５に記載の方法。
【請求項１９】
マルチフィラメントおよびモノフィラメントヤーンを含む前記別個の束の各々を形成することをさらに含む、請求項１８に記載の方法。
【請求項２０】
前記縦糸および前記横糸をバスケット織りパターンに織ることをさらに含む、請求項１１に記載の方法。
【発明の詳細な説明】
【技術分野】
【０００１】
関連出願への相互参照
本出願は、２０１４年５月２１日に提出された米国特許仮出願第６２／００１，４３９号および２０１５年３月３日に提出された米国特許出願第１４／６３６，６６２号の利益を主張し、その全体が参照によりここに組み込まれる。
【０００２】
発明の背景
１．技術分野
この発明は、一般に細長い部材を保護するための繊維スリーブに関し、特に織物スリーブに関する。
【背景技術】
【０００３】
２．関連技術
摩擦、流体および熱の影響に対する保護を配線に提供するために、自動車、航空機または宇宙船などにおいて、配線および配線ハーネスを保護スリーブ内に被うことが知られている。所望の保護を達成するために、保護スリーブは複数層を有してもよく、いくつかの層は、具体的には異なる種類の保護のために提供される。たとえば、１つの層は水への抵抗を提供されてもよく、たとえばプラスチック材料のシートであってもよく、同時に別の層を摩擦抵抗のために提供されてもよく、さらに非織物層といった別の層を熱条件に対する保護のために提供されてもよい。上述の複層スリーブは、さまざまな環境条件に対して適した保護を提供してもよいが、残念ながらそれらは典型的に場所をとり、これによって増加された空間の容量を要し、さらに、それらは相対的に重く低い可撓性を呈する。これはいくつかの用途、特に狭く曲がった空間を通る配索ケーブルまたはホースの用途、並びに航空機および宇宙船用途といった重量制限を要する用途では有害であることが証明できる。
【発明の概要】
【課題を解決するための手段】
【０００４】
発明の概要
１つの発明の態様は、細長い部材を配索し、摩擦への露出および汚染といった他の環境条件から保護するための織物スリーブを提供する。スリーブは、織物モノフィラメントヤーンおよび／またはマルチフィラメントヤーンから構築される、可撓性で耐摩耗性の自己カールの細長い壁部を有する。壁部は、スリーブの中心軸に平行に概ね延在する、対向する縁部を有し、対向する縁部は、互いに重畳する。壁部は、スリーブの中心軸に平行に概ね延在する縦糸と、スリーブ周囲に中心軸に概ね横方向に延在する横糸とで織られる。縦糸は、個々に、別個のグループに束ねられ、各グループは互いに並んだ関係の複数のヤーンを含み、同じ別個のグループ内のヤーンの各々は、共通の横糸の同じ側上でより合わされる。束ねられた縦糸のグループは、スリーブの長さに沿って力が印加された摩擦に対して強化された摩擦抵抗を提供し、他方横糸は、向上された可撓性をスリーブに提供する。
【０００５】
本発明の別の態様に従い、別個の束は単一の横糸の上および単一の横糸の下に繰り返し延在することができる。
【０００６】
本発明の別の態様に従い、別個の束は複数の横糸の上および複数の横糸の下に繰り返し延在することができる。
【０００７】
本発明の別の態様に従い、各別個の束は横糸の対の上および横糸の対の下に繰り返し延在することができる。
【０００８】
本発明の別の態様に従い、壁部の対向する縁部は、横糸によって互いに重畳する関係に付勢されることができる。
【０００９】
本発明の別の態様に従い、少なくともいくつかの縦糸は、マルチフィラメントヤーンとして提供される。
【００１０】
本発明の別の態様に従い、縦糸の各々はマルチフィラメントヤーンとして提供されることができる。
【００１１】
本発明の別の態様に従い、横糸の各々は、モノフィラメントヤーンとして提供されることができる。
【００１２】
本発明の別の態様に従い、少なくともいくつかの縦糸はモノフィラメントヤーンとして提供されることができる。
【００１３】
本発明の別の態様に従い、縦糸の各々は、モノフィラメントヤーンとして提供されることができる。
【００１４】
本発明の別の態様に従い、繊維スリーブを構築する方法が提供される。方法は、スリーブの中心長手軸に平行に延在する対向する縁部を有する細長い壁部を織ることを含み、壁部は、中心長手軸に平行に延在する縦糸および縦糸を横切って延在する横糸を有する。さらに、方法は縦糸をヤーンの別個の束で織ることを含み、束の各々は、互いに並んで当接する関係に配置された縦糸を有し、各別個の束内の縦糸は、互いに同じ横糸の上下に延びる。
【００１５】
本発明の別の態様に従い、方法は、束を単一の横糸の上下に織ることをさらに含むことができる。
【００１６】
本発明の別の態様に従い、方法は、外側を向く浮き編み（ｆｌｏａｔｓ）を形成するために、束を複数の横糸の上に織ることをさらに含むことができる。
【００１７】
本発明の別の態様に従い、方法は、対向する縁部を互いに重畳する関係に付勢するために、少なくともいくつかの横糸をヒートセットすることをさらに含むことができる。
【００１８】
本発明の別の態様に従い、方法は、少なくともいくつかの縦糸をマルチフィラメントヤーンとして提供することをさらに含むことができる。
【００１９】
本発明の別の態様に従い、方法は、横糸をマルチフィラメントヤーンとして提供することをさらに含むことができる。
【００２０】
本発明の別の態様に従い、方法は、横糸をモノフィラメントヤーンとして、提供することをさらに含むことができる。
【００２１】
本発明の別の態様に従い、方法は、少なくともいくつかの縦糸をモノフィラメントヤーンとして提供することをさらに含むことができる。
【００２２】
本発明の別の態様に従い、方法は、マルチフィラメントおよびモノフィラメントヤーンを含む別個の束の各々を形成することをさらに含むことができる。
【００２３】
本発明の別の態様に従い、方法は、縦糸および横糸をバスケット織りパターンに織ることをさらに含むことができる。
【００２４】
図面の簡単な説明
これらのおよび他の態様、特徴および利点は、以下の提示される望ましい実施形態の詳細な説明、ベストモード、および添付された請求項、添付図面に照らして、当業者に容易に明らかになるだろう。
【図面の簡単な説明】
【００２５】
【図１】１つの本発明の態様に従って構築される、織られた自己巻付スリーブの概略斜視図であり、示されたスリーブは細長い部材を保持しおよび保護する。
【図２】１つの本発明の実施形態に従って構築される、図１のスリーブの壁部の拡大部分図である。
【図２Ａ】本発明の別の実施形態に従って構築される図１のスリーブの壁部の図２と同様の図である。
【図２Ｂ】本発明のさらなる別の実施形態に従って構築される図１のスリーブの壁部の図２と同様の図である。
【図３】本発明のさらなる別の実施形態に従って構築される図１のスリーブの壁部の図２と同様の図である。
【図３Ａ】本発明のさらなる別の実施形態に従って構築される図１のスリーブの壁部の図３と同様の図である。
【図３Ｂ】本発明のさらなる別の実施形態に従って構築される図１のスリーブの壁部の図３と同様の図である。
【発明を実施するための形態】
【００２６】
好ましい実施形態の詳細な説明
図面をより詳細に参照して、図１は、１つの本発明の態様に従って構築される、織られた自己巻付繊維スリーブの概略図を示し、以後スリーブ１０として参照される。スリーブ１０は、配線または配線ハーネス１４といった細長い部材を配索し、たとえば、摩擦にさらされたり、汚染物、砕片などが侵入したりすることから保護するために、巻付可能な細長い壁部１２を有する。細長い壁部１２は、中心長手軸１８に平行に概ね延在する対向する縁部１６、１７を有し、縁部１６、１７は望ましくは、スリーブ１０の中心キャビティ２０内に細長い部材１４を十分に封入するために、互いに重畳する関係に「たばこ巻き」のように付勢される。キャビティ２０は、壁部１２の長さ全体に沿って容易にアクセス可能であり、これにより細長い部材１４は、キャビティ２０内に径方向に容易に配置されることができ、逆にキャビティ２０からサービス中といったときに除去される。摩擦に対して所望の保護を細長い部材１４に提供するために、壁部１２は、中心長手軸１８に概ね平行に延在する個々の、別個の縦糸束２２で織られ、各束２２は、互いに並んで当接する関係に配置された複数の縦糸２３で作られる。壁部１２は、共通に横糸２４とも称される横糸ヤーンでさらに織られ、概ね縦糸２３を横切る関係で巻付けられた壁１２の周囲に概ね延在する。横糸２４は、所望されれば、少なくとも部分的に、ヒートセット可能なヤーンとして、提供されることができ、これにより巻かれたまたは巻付けられた構成である横糸２４をヒートセットする際に、壁部１２は、対向する縁部１６、１７を互いに重畳する関係に自己カールするように付勢される。ヒートセット可能なモノフィラメントヤーンまたはマルチフィラメントヤーンといった横糸２４をヒートセットすることによって、中心長手軸１８の周りにその巻かれた構成へと付勢される。
【００２７】
用途の必要性に応じて、壁部１２は、長さおよび直径を含む、いずれかの適した大きさを有するように構築されることができる。壁部１２がその自己巻付された筒状構成にあるときに、概ねいずれの外力も印加されず、縁部１６、１７は望ましくは、十分にキャビティ２０を封入するために互いに少なくともわずかに重畳し、このため、キャビティ２０内に含まれる配線１４に強化された保護を提供する。縁部１６、１７は、少なくとも部分的に開きキャビティ２０を露出するために、横糸２４によって印加された付勢を克服するのに十分である印加外力の下で、容易に互いから離れて延在可能であり、したがって、配線１４は、キャビティ２０内へのアセンブリ中に容易に配置され、またはサービス中にキャビティ２０から容易に除去されることができる。印加された外力を解放する際に、縁部１６、１７は自然の、重畳する自己巻付された位置に、ヒートセットされた横モノフィラメントヤーン２４によって印加された付勢の下で、自動的に戻る。
【００２８】
別個の縦糸束２２は、いずれかの適したモノフィラメントヤーンおよび／またはマルチフィラメントヤーンで形成されることができ、束２２の例示的な実施形態は、全体的に複数のマルチフィラメント縦糸２３で形成されるものとして、図２に示される。マルチフィラメント縦糸２３は、強化された摩擦抵抗を提供することに加えて、互いに並んで当接するか実質的に当接する関係に束ねられた結果、強化された最適な表面エリアカバーを壁部１２に提供し、これによってキャビティ２０内への汚染、破片等の侵入を防ぎ、これによってキャビティ２０内に含まれる細長い部材１４に強化された保護を提供する。加えて、マルチフィラメントヤーン２３は、強化された摩擦を横糸２４上に印加することによって、横糸２４をそれらの意図される、織られた位置に維持することを容易にすると同時に、またスリーブ１０に、たとえば角の周りに配索するための、十分な可撓性を提供する。１つの例示的なスリーブの実施形態では、束２２は縦糸２３の対で形成され、縦糸２３は、約３００〜５００デニール、約７５〜９０の縦打込本数（ｅｎｄ−ｐｅｒ−ｉｎｃｈ）を有するマルチフィラメントとして提供された。別個の束２２は、織られた変型バスケット種の織りパターンとして、限定することなく例として図２に示され、各束２２は単一の横糸２４の上にそして単一の横糸２４の下に、繰り返すように延在する。
【００２９】
横糸２４は、たとえばポリフェニレンサルファイド（ＰＰＳ）、ポリエチレンテレフタレート（ＰＥＴ）といった、ヒートセット可能なモノフィラメント重合体材料および／またはマルチフィラメント重合体材料を含む、いずれか適したモノフィラメント材料および／またはマルチフィラメント材料として提供されることができる。図２に示された例示的なスリーブの実施形態では、横糸２４は、ヒートセット可能なモノフィラメントである。モノフィラメント２４は望ましくは、縦糸２３に対して削減された断面エリア（削減された直径）を有し、これは、モノフィラメントが大きかった場合と比較して、増加された可撓性の程度を有するスリーブ１０を提供することを容易にする。
【００３０】
図２Ａでは、本発明に従って構築されるスリーブ１０の別の例示的な実施形態が示され、シングルプライム（’）と組み合わされた図２と同じ参照番号が、同様の特徴を識別するために使用される。スリーブ１０’は、図２のスリーブ１０と同様であるが、縦糸が、マルチフィラメントとして提供されるよりもむしろ、縦糸２３はモノフィラメントとして提供され、これによってスリーブ１０’全体は、モノフィラメントで構築される。縦糸２３’のために使用されるモノフィラメントは、横糸２４’のために使用されるモノフィラメントよりも直径において少なくともわずかに大きい。それ以外は、スリーブ１０’の織りパターンは、スリーブ１０と同じであり、このため、さらなる説明を必要としない。
【００３１】
図２Ｂでは、本発明に従って構築されるスリーブ１０’’の別の例示的な実施形態が示され、ダブルプライム（’’）と結合された同じ参照番号が、同様の特徴を識別するために使用される。スリーブ１０’’は、図２のスリーブ１０と同様であるが、縦糸が、マルチフィラメントとして提供されるよりもむしろ、各別個の束２２’’がモノフィラメント縦糸２３’’およびマルチフィラメント縦糸２３’’として形成される。縦糸２３’’のために使用されるモノフィラメントは、図２Ａのスリーブ１０’の縦糸ために使用されるものと同じであることができ、同時にマルチフィラメント縦糸２３’’は、図２Ａのスリーブ１０の縦糸ために使用されるものと同じであることができ、モノフィラメントおよびマルチフィラメント縦糸２３’’の有効直径は、同じか概ね同じである。それ以外のスリーブ１０’’の織りパターンは、スリーブ１０と同じであり、このため、さらなる説明を必要としない。
【００３２】
図２Ｃでは、本発明に従って構築されるスリーブ１０’’’の別の例示的な実施形態が示され、トリプルプライム（’’’）と結合された同じ参照番号が、同様の特徴を識別するために使用される。スリーブ１０’’’は図２のスリーブ１０と同様であるが、横糸が、モノフィラメントとして提供されるよりもむしろ、横糸２４’’’はマルチフィラメントとして提供され、これによってスリーブ１０’’’全体は、マルチフィラメントで構築される。すべての前の実施形態と同様に、横糸２４’’’は個々のヤーンフィラメントとして織られ、このため、すぐ隣に隣接する横糸のように同じ縦糸の上下に延在しない。横糸２４’’’は、上述の実施形態のように、個々の縦糸２３’’’の有効直径よりも少ない有効直径を有し、例示的な実施形態では、横糸２４’’’は、約２００〜４００デニール、約３０〜５０の横打込本数（ｐｉｃｋ−ｐｅｒ−ｉｎｃｈ）を有して構築される。それ以外は、スリーブ１０’’’の織りパターンは、スリーブ１０と同じであり、このため、さらなる説明を必要としない。
【００３３】
図３では、本発明に従って構築されるスリーブ１１０の別の例示的な実施形態が示され、１００だけずらした図２と同じ参照番号が同様の特徴を識別するために使用される。スリーブ１１０は、図２のスリーブ１０と同様であるが、その縦糸１２３および束１２２が単一のモノフィラメント横糸１２３の上下に延在するよりもむしろ、縦糸１２３の別個の束が横糸１２４の対の上にそして横糸１２４の対の下に繰り返して延在し、これによって真のバスケット織りパターンを形成する。このため、縦糸１２３は、複数の横糸１２４の上に延在する、外側に向いた縦浮き編み２６を形成し、浮き編み２６は、スリーブ１０の長さに沿って矢印Ａで示される方向に摺動する摩擦力に対してさらに強化された保護を提供するよう機能する。それ以外は、スリーブ１１０は図２のスリーブ１０で説明されたものと同じであり、縦糸１２３および横糸１２４ためのヤーン材料および相対的な大きさは同じであり、このため、さらなる説明を要しない。
【００３４】
図３Ａでは、本発明に従って構築されるスリーブ１１０’の別の例示的な実施形態が示され、同様の特徴を示すためにシングルプライム（’）と結合された、図３と同じ参照番号が使用される。スリーブ１１０’は、図３のスリーブ１１０と同様であるが、縦糸がマルチフィラメントとして提供されるよりもむしろ、縦糸１２３’は、モノフィラメントとして提供され、これによってスリーブ１１０’全体は、モノフィラメントで構築される。縦糸１２３’ために使用されるモノフィラメントは、横糸１２４’のために使用されるモノフィラメントよりも、直径において少なくともわずかに大きい。それ以外では、スリーブ１１０’の織りパターンはスリーブ１１０のものと同じであり、このため、さらなる説明を必要としない。
【００３５】
図３Ｂでは、本発明に従って構築されるスリーブ１１０’’の別の例示的な実施形態が示され、同様の特徴を識別するために、ダブルプライム（’’）と結合された、図３で使用されるものと同じ参照番号が使用される。スリーブ１１０’’は図３のスリーブ１１０と同様であるが、縦糸は、マルチフィラメントとして提供されるよりもむしろ、各別個の束１２２’’がモノフィラメント縦ヤーン１２３’’およびマルチフィラメント縦ヤーン１２３’’で形成され、これによってモノフィラメントおよびマルチフィラメントは、互いに並んで当接する関係となる。縦糸１２３’’ために使用されるモノフィラメントは、図３Ａのスリーブ１１０’の縦糸ために使用されるものと同じであることができ、同時にマルチフィラメント縦糸１２３’’は、図３のスリーブ１１０の縦糸ために使用されるものと同じであることができ、モノフィラメントおよびマルチフィラメント縦糸１２３’’の有効半径は、同じか概ね同じである。それ以外のスリーブ１１０’’の織りパターンは、スリーブ１１０のものと同じであり、このため、さらなる説明を必要としない。
【００３６】
図３Ｃでは、本発明に従って構築されるスリーブ１１０’’’の別の例示的な実施形態が示され、同様の特徴を識別するために、トリプルプライム（’’’）と結合された、図３内で使用されるものと同じ参照番号が使用される。スリーブ１１０’’’は図３のスリーブ１１０と同様であるが、横糸がモノフィラメントとして提供されるよりもむしろ、横糸１２４’’’は、マルチフィラメントとして提供され、これによってスリーブ１１０’’’全体は、マルチフィラメントで構築される。横糸２４’’’は、上述の実施形態のように、個々の縦糸１２３’’’の有効半径より少ない有効半径を有し、例示的な実施形態では、横糸１２４’’’は、約２００〜４００デニール、約３０〜５０の横打込本数（ｐｉｃｋ−ｐｅｒ−ｉｎｃｈ）を有して構築される。それ以外のスリーブ１１０’’’の織りパターンはスリーブ１１０と同じであり、このため、さらなる説明を必要としない。
【００３７】
明らかに、提示される発明のたくさんの変形およびバリエーションが上記の教示に照らして可能である。そのため、添付された請求項の範囲内で、本発明は具体的には説明された以外に実施されてもよいことが理解されるべきである。
【図１】
0006722592.tif 000002
【図２】
0006722592.tif 000003
【図２Ａ】
0006722592.tif 000004
【図２Ｂ】
0006722592.tif 000005
【図２Ｃ】
0006722592.tif 000006
【図３】
0006722592.tif 000007
【図３Ａ】
0006722592.tif 000008
【図３Ｂ】
0006722592.tif 000009
【図３Ｃ】
0006722592.tif 000010